(57)【要約】【課題】とげのある縫合糸に用いられる従来技術の縫合糸パッケージに付随する多くの問題をなくする外科用縫合糸パッケージのための新規な方法および装置を提供する。【解決手段】とげのある外科用縫合糸のパッケージは、少なくとも１つのとげのある外科用縫合糸を取り出す形態のベース；該ベースに隣接して配置される形態のカバーであって、その中に、該パッケージ内に含まれる少なくとも１つの針およびとげのある縫合糸へのアクセスを提供するための開口部を規定するカバー；該ベースの外側周縁から延びる外壁であって、該カバーが該ベースに隣接して置かれるとき該外壁が該カバーと接触するような所定の高さを有し、縫合糸保持領域の外周を規定する外壁；および該外壁に隣接して位置決めされ、該少なくとも１つのとげのある縫合糸を支持するための形態の該パッケージの中心部分に向かって内方に延びる複数の突出部、を備える。【選択図】図４
2009247900.tif 000002
【特許請求の範囲】
【請求項１】
とげのある外科用縫合糸のパッケージであって：
少なくとも１つのとげのある外科用縫合糸を取り出す形態のベース；
該ベースに隣接して配置される形態のカバーであって、その中に、該パッケージ内に含まれる少なくとも１つの針およびとげのある縫合糸へのアクセスを提供するための開口部を規定するカバー；
該ベースの外側周縁から延びる外壁であって、該カバーが該ベースに隣接して置かれるとき該外壁が該カバーと接触するような所定の高さを有し、縫合糸保持領域の外周を規定する外壁；および
該外壁に隣接して位置決めされ、該少なくとも１つのとげのある縫合糸を支持するための形態の該パッケージの中心部分に向かって内方に延びる複数の突出部、を備える、とげのある外科用縫合糸のパッケージ。
【請求項２】
前記縫合糸のパッケージがさらに、前記縫合糸保持領域の内周を少なくとも部分的に規定するための周壁を有するプラットホームを含む、請求項１に記載のとげのある外科用縫合糸のパッケージ。
【請求項３】
前記縫合糸のパッケージがさらに、前記カバーの下表面の第１の弧状端部部分および第２の弧状端部部分から延びる複数のポストを含み、前記縫合糸保持領域の弧状端部部分の内周を規定する、請求項１に記載のとげのある外科用縫合糸のパッケージ。
【請求項４】
前記複数のポストの少なくとも２つがウェブによって接続され、そしてさらに該複数のポストが前記ベース中に形成された穴と係合し、前記カバーを該ベースに固定する寸法および形態である、請求項３に記載のとげのある外科用縫合糸のパッケージ。
【請求項５】
前記縫合糸のパッケージがさらに、少なくとも１の針を固定位置に維持するために、前記カバーの上表面上に位置される針パークを含む、請求項１に記載のとげのある外科用縫合糸のパッケージ。
【請求項６】
前記複数の突出部が、それらの間に開口部を規定する、請求項１に記載のとげのある外科用縫合糸のパッケージ。
【請求項７】
前記複数の突出部がさらに、前記とげのある縫合糸をスライド可能に受容するための形態の１つ以上のスロットを規定する、請求項６に記載のとげのある外科用縫合糸のパッケージ。
【請求項８】
前記複数の突出部によって規定される開口部が、被覆される、請求項６に記載のとげのある外科用縫合糸のパッケージ。
【請求項９】
さらに、湿気を吸収するための貯蔵安定性混合物を含む、請求項１に記載のとげのある外科用縫合糸のパッケージ。
【請求項１０】
前記複数の突出部が、前記とげのある縫合糸を選択的に保持し、そしてスライド可能に放出するような形態の連続溝を形成する、請求項１に記載のとげのある外科用縫合糸のパッケージ。
【請求項１１】
前記とげのある縫合糸が、前記外壁に隣接する、前記縫合糸保持領域の一部分で始まる該縫合糸保持領域内に位置決めされる、請求項１に記載のとげのある外科用縫合糸のパッケージ。
【請求項１２】
前記カバーが、前記ベースの周縁寸法に実質的に等しい周縁寸法を有する、請求項１に記載のとげのある外科用縫合糸のパッケージ。
【請求項１３】
前記縫合糸保持領域が、前記カバーの下表面から延びる複数セットの突出部を備える、請求項１に記載のとげのある外科用縫合糸のパッケージ。
【請求項１４】
さらに、前記複数の突出部の端部上に形成されたポストを備え、該ポストが前記ベース中に形成された穴を係合する形態であり、前記カバーを該ベースに固定する、請求項１に記載のとげのある外科用縫合糸のパッケージ。
【請求項１５】
とげのある外科用縫合糸のパッケージであって：
ベース；
該ベースに隣接して置かれ、縫合糸パッケージを形成する形態のカバー；
該ヘースの外側周縁から延びる外壁であって、該カバーが該ベースに隣接しておかれるとき、該外壁が該カバーに接触するような所定の高さを有する外壁；および
該パッケージ内の縫合糸保持領域であって、該領域が該カバーの底表面から延び、そして該外壁の高さに実質的に等しい高さを有し、とげのある外科用縫合糸を初期または圧縮されない状態で選択的に保持し、そしてスライド可能に放出するような形態の縫合糸保持領域、を備える、とげのある外科用縫合糸のパッケージ。
【請求項１６】
前記縫合糸のパッケージがさらに、針を固定位置に維持するための針パークを含み、該針パークが前記縫合糸保持領域内に位置決めされる縫合糸の端部に連結される、請求項１５に記載のとげのある外科用縫合糸のパッケージ。
【請求項１７】
前記針パークが、前記カバーの上表面上に位置される、請求項１６に記載のとげのある外科用縫合糸のパッケージ。
【請求項１８】
前記針パークが、前記ベースの上表面上に位置される、請求項１６に記載のとげのある外科用縫合糸のパッケージ。
【請求項１９】
前記縫合糸保持領域が、前記カバーの下表面から延びる少なくとも１つの突出部を備える、請求項１５に記載のとげのある外科用縫合糸のパッケージ。
【請求項２０】
とげのある外科用縫合糸が、前記縫合糸保持領域内に位置決めされる、請求項１５に記載のとげのある外科用縫合糸のパッケージ。
【請求項２１】
前記とげある縫合糸の端部上に取り付けられる針が、前記縫合糸保持領域によって規定される前記ベースの中心領域内に、該針が針パークを係合し、該針を固定位置に維持するように位置決めされる、請求項１５に記載のとげのある外科用縫合糸のパッケージ。
【請求項２２】
前記縫合糸保持領域が、前記カバーの下表面から延びる壁を備える、請求項１５に記載のとげのある外科用縫合糸のパッケージ。
【請求項２３】
とげのある外科用縫合糸のパッケージであって：
頂部側面、底部側面、および外周を有する実質的に平坦なベース部材；
該ベース部材の該周の周りで該ベース部材の頂部側面から上方に延びる外壁であって、頂部、外表面、および内表面を有する外壁；
縫合糸を受容するための該ベース部材中の少なくとも１つの溝であって、各々が、底部および両側面中の開口部、および該ベース部材の頂部側面中の開口部を有する少なくとも１つの溝；
針を受容するための針パークであって、内壁内の該ベース部材の頂部側面の中心に取り付けられた針パーク；および
頂部、底部、縫合糸放出開口部、および外周を有する平坦なカバー部材であって、該外壁の頂部に取り付けられるカバー部材、を備える、とげのある外科用縫合糸のパッケージ。
【請求項２４】
さらに、外科用針およびとげのある縫合糸を備える、請求項２３に記載のとげのある外科用縫合糸のパッケージ。
【発明の詳細な説明】
【技術分野】
【０００１】
（関連出願への相互参照）
本出願は、２００８年４月７日に出願された米国仮特許出願番号第６１／０３１，０４０号に基づく優先権、およびその利益を主張しており、この仮特許出願の全体の内容は、本明細書によって参考として援用される。
【０００２】
（１．技術分野）
本開示は、外科用縫合糸を保持するためのパッケージに、そしてより特定すれば、とげのある外科用縫合糸を選択的に保持し、そしてスライド可能に放出するためのパッケージに関する。
【背景技術】
【０００３】
（２．関連技術の論議）
外科用縫合糸パッケージの共通の形態は、滅菌、密封されてシールされた包袋に含まれる折り畳まれた硬化処理された紙の縫合糸ホルダーから作製されている。この包袋は、さらに、第２の通常透明な（ホイルから構成され得るけれども）熱可塑性の熱シールされた外側ポーチにシールされ、縫合糸ホルダーおよび内側の包袋の滅菌度を維持する。縫合糸が用いられるべきとき、外側のポーチが、代表的には手術室中で開けられ、そしてシールされた滅菌内側包袋が滅菌領域中に置かれる。手術室作業者は、次いで、縫合糸への接近が必要であるとき、内側包袋を開く。
【０００４】
１つの端部または両方の端部に取り付けられた針を有する外科用縫合糸のためのパッケージは、縫合糸材料に、およびこれら縫合糸がどのように用いられるかに従って構築される。一般に、このパッケージは、縫合糸および取り付けられた針をその場に保持し、それらを取り扱いおよび貯蔵の間で保護し、そして最小取り扱いで取り出すために縫合糸への容易なアクセスを可能にする。
【０００５】
縫合糸パッケージの設計および製造の重要な局面は、縫合糸が、それ自体ともつれ、ねじれ、コイル状になるか、または所望されない様式で結びつけられるようになることなく取り出し可能であるべきことである。縫合糸材料自体の性質は、パッケージの形態、縫合糸がパッケージ内にどのように配置されるか、針の配置、または縫合糸がパッケージからどのように引かれるかに対する制限を課し得る。とげのある縫合糸は、パッケージの形態に対して制限を課す。
【０００６】
伝統的な外科用縫合糸材料の例示のパッケージは、特許文献１および特許文献２に開示され、これらの内容は、それらの全体が本明細書中に参考して援用される。両方の参考文献は、伝統的な外科用縫合糸を維持および放出するための形態である縫合糸パッケージを開示している。一般に、開示されるのは、硬質材料から形成されるベースおよびカバーまたは蓋を含む縫合糸パッケージである。ベースは、その中に伝統的な外科用縫合糸を保持するためのらせん状チャンネルまたは保持部分を含むような形態である。このチャンネルまたは保持部分は、代表的には、頂部に装填され、そして縫合糸を、それがその１つの端部から引かれるときにスライド可能に放出するための形態である。
【０００７】
とげのある縫合糸は、伝統的な外科用縫合糸とは異なり、縫合糸パッケージ内に収容されなければならないとげを含む。従って、伝統的な外科用縫合糸のためのパッケージは、とげのある縫合糸のためのパッケージには適切でないかも知れない。詳細には、パッケージにある任意の角またはエッジは、この縫合糸のとげが、パッケージ内でひっかかるか、または留められるようにし得る。さらに、以下に記載されるように、伝統的な外科用縫合糸の断面プロフィールは、とげのある縫合糸のそれとは異なる。従って、均一な断面プロフィールを有する伝統的な外科用縫合糸を保持するような形態のパッケージは、変動する断面プロフィールを有するとげのある縫合糸を保持するために用いることは容易ではない。
【０００８】
とげのある縫合糸は、縫合糸の周りのとげのサイズおよび放射状の間隔に依存して、任意の数の断面プロフィールを有し得る。本明細書中に記載され、そして図面中に示されるように、とげのある縫合糸は、少なくとも２つの横方向に間隔を置かれたとげを規定する断面プロフィールを含む。本開示の局面は、しかし、単一形態のとげのある縫合糸に限られるべきではない。これらのとげは、任意の様式でとげのある縫合糸の周りで放射状に配置され、そして任意の横間隔をもつ形態であり得る。とげ間の横間隔は、均一またはランダムであり得る。これらのとげは任意のサイズおよび任意の形態であり得ることが想定される。種々のサイズおよび形態の針がとげのある縫合糸の１つの端部または両方の端部と作動可能に係合され得る。
【０００９】
パッケージから取り出されるとき、とげが角またはエッジ上で不注意にひっかかるとき、とげは折れるか、またはそうでなければ曲がり、縫合糸の少なくともその部分を伝統的な外科用縫合糸よりも有効ではないようにする。とげのある縫合糸はまた、極端な数のとげが圧縮されるか、または平坦にされる場合、有効性が低下し得る。従って、とげのある縫合糸を、伝統的な外科用縫合糸のための形態のパッケージ中に単に押すことは、このパッケージから縫合糸の容易な取り出しを阻害し得るのみでなく、それはまた、とげの圧縮または平坦化を引き起こし得、とげのある縫合糸の有効性の低下を生じる。
【先行技術文献】
【特許文献】
【００１０】
【特許文献１】米国特許第５，７０４，４６９号明細書
【特許文献２】米国特許出願公開第２００６／０２２６０３１号
【発明の概要】
【発明が解決しようとする課題】
【００１１】
とげのある縫合糸に容易にアクセスでき、そしてこの縫合糸をそのパッケージから有効に取り出しできることは、特に外科的手順の間に時間が本質的問題であるとき、重要である。従って、とげのある縫合糸が縫合糸パッケージ内でもつれるか、または捕捉されるようになる可能性を顕著に低減する改良された縫合糸パッケージに対して継続する必要性が存在する。
【課題を解決するための手段】
【００１２】
（要約）
従って、本開示は、とげのある縫合糸のために用いられる先行技術の縫合糸パッケージに付随する多くの問題をなくする外科用縫合糸パッケージのための新規な方法および装置を提供する。
【００１３】
とげのある外科用縫合糸のパッケージが記載される。このパッケージは、ベース、およびこのベースに隣接して置かれ、縫合糸のパッケージを形成するような形態のカバーを備える。このカバーは、その中に開口部を規定し、このパッケージ内に含まれる少なくとも１つの針およびとげのある縫合糸へのアクセスを提供する。このパッケージは、上記ベースの外側周縁から延びる外壁を含む。この外壁は、上記カバーが上記ベースに隣接して置かれるときこの外壁が上記カバーと接触するような所定の高さを有する。この外壁は、縫合糸保持領域の外周を規定する。上記外壁に隣接して位置決めされる複数の突出部が、上記とげのある縫合糸を支持するための形態の上記パッケージの中心部分に向かって内方に延びる。
【００１４】
上記縫合糸のパッケージはさらに、上記縫合糸保持領域の内周を少なくとも部分的に規定するための周壁を有するプラットホームを含む。また含まれるのは、上記カバーの下表面の第１の弧状端部部分および第２の弧状端部部分から延びる複数のポストであり、上記縫合糸保持領域の弧状端部部分の内周を規定する。この複数の突出部は、上記とげのある縫合糸を選択的に保持し、そしてスライド可能に放出するための形態の連続溝を形成し得る。上記複数のポストの少なくとも２つはウェブによって接続され得る。これらポストは、上記ベース中に形成される穴を係合するような寸法および形態であり得、上記ベースのカバーを固定する。
【００１５】
上記複数の突出部は、それらの間に、とげのある縫合糸のとげをスライド可能に受容するための形態である開口部を規定し得る。これら開口部は、変形可能なプラスチック、ポリマーなどで被覆され得る。この被覆は、それに代わって、実質的に粘着性の材料を含み得る。
【００１６】
さらに開示されるのはとげのある外科用縫合糸のパッケージである。このパッケージは、ベース、このベースに隣接して置かれ、縫合糸パッケージを形成する形態のカバー、このヘースの外側周縁から延びる外壁、およびこのパッケージ内に規定される縫合糸保持領域を備える。この外壁は、上記カバーが上記ベースに隣接しておかれるとき、上記外壁が上記カバーに接触するような所定の高さを有する。上記縫合糸保持領域は、上記カバーの底表面から延び、そして上記外壁の高さに実質的に等しい高さを有する。この縫合糸保持領域は、とげのある外科用縫合糸を初期または圧縮されない状態で選択的に保持し、そしてスライド可能に放出するための形態である。とげのある縫合糸は、縫合糸保持領域内に受容される。
【００１７】
上記縫合糸のパッケージはさらに、針を固定位置に維持するための針パークを含む。針は、上記縫合糸保持領域内に位置決めされている縫合糸の端部に接続される。上記針パークは、上記カバーの上表面に位置される。針パークは、上記ベースの上表面上に位置される。上記縫合糸保持領域は、上記カバーの下表面から延びる少なくとも１つの突出部を備える。上記とげのある外科用縫合糸は、上記縫合糸保持領域内に巻かれる。
【００１８】
針は、上記とげある縫合糸の端部に取り付けられ、上記縫合糸保持領域によって規定される上記ベースの中心領域内に、上記針が針パークを係合し上記針を固定位置に維持するように位置決めされる。上記縫合糸保持領域は、上記カバーの下表面から延びる壁を備える。上記とげのある縫合糸は、上記外壁に隣接する縫合糸保持領域の一部分で始まる縫合糸保持領域内で巻かれる。上記カバーは、上記ベースの周縁寸法に実質的に等しい周縁寸法を有する。
【００１９】
上記縫合糸のパッケージ内に規定される縫合糸保持領域は、上記カバーの下表面から延びる複数セットの突出部を備える。上記縫合糸のパッケージはさらに、これら突出部の端部上に形成されたポストを含む。これらポストは、上記ベース中に形成された穴を係合するような寸法および形態であり、上記カバーを上記ベースに固定する。
【００２０】
また開示されるのは、縫合糸のパッケージであり、実質的に平坦なベース部材、針を受容するための針パーク、および平坦なカバー部材を備える。このベース部材は、頂部、底部、縫合糸放出開口部、および外周を有する。この平坦なカバー部材は、底部側面、および外周、上記ベース部材の周の周りで上記ベース部材の頂部側面から上方に延びる外壁を含む。上記針パークは、内壁内の上記ベース部材の頂部側面の中心に取り付けられる。上記カバー部材は、上記外壁の頂部上に取り付けられる。上記外壁は、頂部、外表面、および内表面を含む。少なくとも１つの溝が、縫合糸を受容するために上記ベース部材中に形成される。これら溝の各々は、上記ベース部材の頂部側面中の開口部を規定する。上記縫合糸のパッケージはさらに、縫合糸針およびとげのある縫合糸を含む。
【００２１】
さらに、開示されるのは縫合糸のパッケージである。このパッケージは、少なくとも１つのらせん状トラックを規定するベース、このベースの上に横たわる形態のカバー、およびとげのある縫合糸を圧縮されない状態に支持するための、らせん状トラックに配置される支持縫合糸を備える。上記カバーは、上記らせん状トラックと連通する開口部を規定する。上記支持構造は、上記らせん状トラックを横切って吊される複数のワイヤを含む。
【００２２】
とげのある縫合糸のパッケージはさらに、とげのある縫合糸を含む。このとげのある縫合糸は、その上に少なくとも１つの針を含む。上記パッケージは、上記少なくとも１つの針を受容するための少なくとも１つの針パークを含む形態である。このとげのある縫合糸のパッケージは、二重装備の折り畳まれた縫合糸を含み得る。
【００２３】
上記とげのある縫合糸のパッケージのらせん状トラックは、１つ以上のとげのある縫合糸を圧縮されない状態に維持することを支援するための被覆を含む。上記らせん状トラックは、１つ以上のとげのある縫合糸の取り出しを支援するための被覆をさらに含み得る。上記とげのある縫合糸のパッケージはさらに、その内容物を識別するための標識を含み得る。
【００２４】
本発明は、さらに以下の手段を提供する。
（項目１）とげのある外科用縫合糸のパッケージであって：
少なくとも１つのとげのある外科用縫合糸を取り出す形態のベース；
該ベースに隣接して配置される形態のカバーであって、その中に、該パッケージ内に含まれる少なくとも１つの針およびとげのある縫合糸へのアクセスを提供するための開口部を規定するカバー；
該ベースの外側周縁から延びる外壁であって、該カバーが該ベースに隣接して置かれるとき該外壁が該カバーと接触するような所定の高さを有し、縫合糸保持領域の外周を規定する外壁；および
該外壁に隣接して位置決めされ、該少なくとも１つのとげのある縫合糸を支持するための形態の該パッケージの中心部分に向かって内方に延びる複数の突出部、を備える、とげのある外科用縫合糸のパッケージ。
（項目２）上記縫合糸のパッケージがさらに、上記縫合糸保持領域の内周を少なくとも部分的に規定するための周壁を有するプラットホームを含む、項目１に記載のとげのある外科用縫合糸のパッケージ。
（項目３）上記縫合糸のパッケージがさらに、上記カバーの下表面の第１の弧状端部部分および第２の弧状端部部分から延びる複数のポストを含み、上記縫合糸保持領域の弧状端部部分の内周を規定する、項目１に記載のとげのある外科用縫合糸のパッケージ。
（項目４）上記複数のポストの少なくとも２つがウェブによって接続され、そしてさらに該複数のポストが上記ベース中に形成された穴と係合し、上記カバーを該ベースに固定する寸法および形態である、項目３に記載のとげのある外科用縫合糸のパッケージ。
（項目５）上記縫合糸のパッケージがさらに、少なくとも１の針を固定位置に維持するために、上記カバーの上表面上に位置される針パークを含む、項目１に記載のとげのある外科用縫合糸のパッケージ。
（項目６）上記複数の突出部が、それらの間に開口部を規定する、項目１に記載のとげのある外科用縫合糸のパッケージ。
（項目７）上記複数の突出部がさらに、上記とげのある縫合糸をスライド可能に受容するための形態の１つ以上のスロットを規定する、項目６に記載のとげのある外科用縫合糸のパッケージ。
（項目８）上記複数の突出部によって規定される開口部が、被覆される、項目６に記載のとげのある外科用縫合糸のパッケージ。
（項目９）さらに、湿気を吸収するための貯蔵安定性混合物を含む、項目１に記載のとげのある外科用縫合糸のパッケージ。
（項目１０）上記複数の突出部が、上記とげのある縫合糸を選択的に保持し、そしてスライド可能に放出するような形態の連続溝を形成する、項目１に記載のとげのある外科用縫合糸のパッケージ。
（項目１１）上記とげのある縫合糸が、上記外壁に隣接する、上記縫合糸保持領域の一部分で始まる該縫合糸保持領域内に位置決めされる、項目１に記載のとげのある外科用縫合糸のパッケージ。
（項目１２）上記カバーが、上記ベースの周縁寸法に実質的に等しい周縁寸法を有する、項目１に記載のとげのある外科用縫合糸のパッケージ。
（項目１３）上記縫合糸保持領域が、上記カバーの下表面から延びる複数セットの突出部を備える、項目１に記載のとげのある外科用縫合糸のパッケージ。
（項目１４）さらに、上記複数の突出部の端部上に形成されたポストを備え、該ポストが上記ベース中に形成された穴を係合する形態であり、上記カバーを該ベースに固定する、項目１に記載のとげのある外科用縫合糸のパッケージ。
（項目１５）とげのある外科用縫合糸のパッケージであって：
ベース；
該ベースに隣接して置かれ、縫合糸パッケージを形成する形態のカバー；
該ヘースの外側周縁から延びる外壁であって、該カバーが該ベースに隣接しておかれるとき、該外壁が該カバーに接触するような所定の高さを有する外壁；および
該パッケージ内の縫合糸保持領域であって、該領域が該カバーの底表面から延び、そして該外壁の高さに実質的に等しい高さを有し、とげのある外科用縫合糸を初期または圧縮されない状態で選択的に保持し、そしてスライド可能に放出するような形態の縫合糸保持領域、を備える、とげのある外科用縫合糸のパッケージ。
（項目１６）上記縫合糸のパッケージがさらに、針を固定位置に維持するための針パークを含み、該針パークが上記縫合糸保持領域内に位置決めされる縫合糸の端部に連結される、項目１５に記載のとげのある外科用縫合糸のパッケージ。
（項目１７）上記針パークが、上記カバーの上表面上に位置される、項目１６に記載のとげのある外科用縫合糸のパッケージ。
（項目１８）上記針パークが、上記ベースの上表面上に位置される、項目１６に記載のとげのある外科用縫合糸のパッケージ。
（項目１９）上記縫合糸保持領域が、上記カバーの下表面から延びる少なくとも１つの突出部を備える、項目１５に記載のとげのある外科用縫合糸のパッケージ。
（項目２０）とげのある外科用縫合糸が、上記縫合糸保持領域内に位置決めされる、項目１５に記載のとげのある外科用縫合糸のパッケージ。
（項目２１）上記とげある縫合糸の端部上に取り付けられる針が、上記縫合糸保持領域によって規定される上記ベースの中心領域内に、該針が針パークを係合し、該針を固定位置に維持するように位置決めされる、項目１５に記載のとげのある外科用縫合糸のパッケージ。
（項目２２）上記縫合糸保持領域が、上記カバーの下表面から延びる壁を備える、項目１５に記載のとげのある外科用縫合糸のパッケージ。
（項目２３）とげのある外科用縫合糸のパッケージであって：
頂部側面、底部側面、および外周を有する実質的に平坦なベース部材；
該ベース部材の該周の周りで該ベース部材の頂部側面から上方に延びる外壁であって、頂部、外表面、および内表面を有する外壁；
縫合糸を受容するための該ベース部材中の少なくとも１つの溝であって、各々が、底部および両側面中の開口部、および該ベース部材の頂部側面中の開口部を有する少なくとも１つの溝；
針を受容するための針パークであって、内壁内の該ベース部材の頂部側面の中心に取り付けられた針パーク；および
頂部、底部、縫合糸放出開口部、および外周を有する平坦なカバー部材であって、該外壁の頂部に取り付けられるカバー部材、を備える、とげのある外科用縫合糸のパッケージ。
（項目２４）さらに、外科用針およびとげのある縫合糸を備える、項目２３に記載のとげのある外科用縫合糸のパッケージ。
【００２５】
（摘要）
本開示は、とげを有する縫合糸のためのパッケージを記載する。このパッケージは、ベース、このベースに隣接して置かれ縫合糸のパッケージを形成するカバー、およびとげのある外科用縫合糸を選択的に維持し、そしてスライド可能に放出するための形態である複数の突出部を含む。さらに開示されるのは、頂部側面、底部側面、および外周を有する実質的に平坦なベース部材、上記ベース部材の上記周の周りで上記ベース部材の頂部側面から上方に延びる外壁であって、頂部、外表面、および内表面を有する外壁、縫合糸を受容するための上記ベース部材中の少なくとも１つの溝であって、各々が、底部および両側面中の開口部、および上記ベース部材の頂部側面中の開口部を有する少なくとも１つの溝、針を受容するための針パークであって、内壁内の上記ベース部材の頂部側面の中心に取り付けられた針パーク；および頂部、底部、縫合糸放出開口部、および外周を有する平坦なカバー部材であって、上記外壁の頂部に取り付けられるカバー部材、を備えるとげのある外科用縫合糸のパッケージである。
【図面の簡単な説明】
【００２６】
本明細書中に援用され、そしてその一部を構成する添付の図面は、本開示の実施形態を、上記で与えられた本開示の一般的記載とともに示し、そして以下で与えられる実施形態の詳細な説明は、本開示の原理を説明するために供される。
【図１】図１は、針をその１つの端部に含むとげのある縫合糸の斜視図である。
【図２】図２の２Ａ〜２Ｃは、異なるとげ形態を有する種々のとげのある縫合糸の断面端面図である。
【図３】図３は、その両方の端部上に針を含むとげのある縫合糸の斜視図である。
【図４】図４は、本開示の実施形態による縫合糸のパッケージの実施形態の平面図である。
【図５Ａ】図５Ａは、１つの針のみを有するとげのある縫合糸を保持する形態の、図４に示される縫合糸のパッケージの側方断面図である。
【図５Ｂ】図５Ｂは、その各端部上に配置された針を有するとげのある縫合糸を保持する形態の、図４に示される縫合糸のパッケージの代替の実施形態の側方断面図である。
【図６Ａ】図６Ａは、針を有するとげのある縫合糸を保持する形態の、図４の縫合糸のパッケージの代替の実施形態の側方断面図である。
【図６Ｂ】図６Ｂは、その各端部上に配置された針を有するとげのある縫合糸を保持する形態の、図４の縫合糸のパッケージの代替の実施形態の側方断面図である。
【図７】図７は、本開示の実施形態に従う、縫合糸のパッケージの別の実施形態の平面図である。
【図８Ａ】図８Ａは、単一の針を有するとげのある縫合糸を保持する形態の、図４に示される縫合糸のパッケージの側方断面図である。
【図８Ｂ】図８Ｂは、その各端部上に配置された針を有するとげのある縫合糸を保持する形態の、図７に示される縫合糸のパッケージの代替の実施形態の側方断面図である。
【図９Ａ】図９Ａは、針を有するとげのある縫合糸を保持する形態の、図７の縫合糸のパッケージの代替の実施形態の側方断面図である。
【図９Ｂ】図９Ｂは、その各端部上に配置された針を有するとげのある縫合糸を保持する形態の、図７の縫合糸のパッケージの代替の実施形態の側方断面図である。
【図１０Ａ】図１０Ａは、とげのある縫合糸の支持の第１の実施形態を示す図９Ａの部分１０の拡大図である。
【図１０Ｂ】図１０Ｂは、とげのある縫合糸の支持の第２の実施形態を示す図９Ａの部分１０の拡大図である。
【発明を実施するための形態】
【００２７】
（図面の詳細な説明）
本明細書に開示される縫合糸のパッケージの実施形態は、ここで、図面を参照して詳細に説明され、図面では同様の参照番号は、いくつかの図全体で対応する要素を識別する。
【００２８】
他であることが特定されなければ、縫合糸への任意のさらなる参照は、とげを有する縫合糸をいうことが理解されるべきである。図１は、本明細書中で論議されるようなとげのある縫合糸４５の第１の実施形態を示す。とげのある縫合糸４５は、その第１の端部上に配置された針７０を含む。針７０は、任意のサイズまたは形態であり得る。針７０はさらに、とげのある縫合糸４５との選択的に解放可能な係合のための形態であり得る。とげのある縫合糸４５はさらに、とげ４５ａを備える。とげ４５ａは、任意のサイズまたは形態であり得る。さらに、とげのある縫合糸４５は、種々の断面プロフィール（図２Ａ〜２Ｃ）を有し得る。この時点から以後、とげのある縫合糸４５への任意の参照は、実質的に十字形の断面プロフィール（図２Ａ）を規定するとげのある縫合糸に関し得る。しかし、本開示の局面は、任意のサイズおよび断面プロフィールのとげのある縫合糸に対処するように改変され得ることが想定される。
【００２９】
図３を参照して、とげのある縫合糸の代替の実施形態では、とげのある縫合糸４６は、その第１の端部上に配置された第１の針７０ａおよびその第２の端部上に配置された第２の針７０ｂを含む。とげのある縫合糸４６は、その長さに沿って第１の針７０ａから離れて延びるとげ４７ａを規定する第１のセクション４７、その長さに沿って第２の針７０ｂから離れて延びるとげ４９ａを規定する第２のセクション４９、およびそれらの間の遷移ゾーン４８を規定する。このようにして、とげのある縫合糸４６が遷移ゾーン４８で把持され、そして針７０ａ、７０ｂが吊されるとき、とげ４７ａおよび４９ａは、実質的に同じ方向に延びる。とげのある縫合糸４５のとげ４５ａと同様に、とげのある縫合糸４６のとげ４７ａ、４９ａは、種々の断面プロフィールを規定し得る。また、縫合糸４５と同様に、本明細書では以後、とげのある縫合糸４６は、実質的に十字形の断面プロフィール（図２Ａ）を参照して説明される。しかし、本開示の局面は、任意のサイズおよび断面プロフィールの二重針のとげのある縫合糸に対処するように改変され得ることが想定される。
【００３０】
ここで図４および５Ａを参照して、本開示の実施形態に従う、とげのある縫合糸を維持および分与するための縫合糸のパッケージの実施形態の平面図、および側方断面図が示される。縫合糸のパッケージ１ａは、ベース５およびカバー１０を含む。外壁１５はベース５から上がり、そしてベース５の周縁の周りで卵形のように延びる。外壁１５は、上部リム２０および下部リム２５を有する。下部リム２５はベース５に接続される。外壁１５は、上部リム２０がカバー１０を、好ましくはその周縁で係合するような所定高さを有して設計される。従って、ベース５およびカバー１０が互いに隣接して動かされるとき、カバー１０の外周縁が、外壁１５の上部リム２０と接続され、閉鎖された縫合糸のパッケージ１の外壁を形成する。
【００３１】
縫合糸保持領域３０は、外壁１５により外側境界を、内側または内壁３５により内側境界上を規定される。本開示の実施形態によれば、内壁３５は、好ましくはカバー１０から下方に延びる。外壁１５とは異なり、内壁３５は連続的ループでなく、内壁３５は、以下にさらに詳細に記載される第１の端部および第２の端部を有する。内壁３５の第１の端部に隣接して、とげのある縫合糸４５がこの縫合糸保持領域３０中に入ることを可能にする開口部が規定される。内壁３５はまた、縫合糸保持領域３０の形状に従う形態である。従って、内壁３５によって形成される開口部の点で、内壁３５の端部は、内壁３５の任意のその他の部分からずれている（オフセットされる）。このずれは、縫合糸保持領域３０の形状を維持することを支援し、そしてとげのある縫合糸４５が縫合糸保持領域３０にアクセスするための開口部を提供する。
【００３２】
あるいは、内壁３５は、カバー１０の中心の平坦領域の外側境界を規定し得ることが想定される。この平坦領域（縫合糸取り出し領域８５とも称される）の高さは、針７０の厚みより小さい縫合糸保持領域突出部４０の高さに等しい形態である。従って、針７０は、カバー１０の外表面で、縫合糸取り出し領域８５中のこの平坦部上に位置決めされ得る。縫合糸のパッケージ１ａの外部に針７０をパークすることが所望される場合には、スペーサーが、縫合糸取り出し領域８５中の平坦部上に置かれ得る。別の実施形態では、内壁３５は、カバー１０内に卵形の開口部を規定する。その場合には、針パーク７５は縫合糸取り出し領域８５内のベース５に取り付けられることが好ましい。従って、手術作業者は、カバー１０内の開口部を通じて針７０にアクセスし、そして除去する能力を有する。
【００３３】
縫合糸のパッケージ１ａを１つ以上の縫合糸保持領域３０に分割する構造がカバー１０から下方に延びる。より詳細には、複数セットの４つの縫合糸保持領域突出部４０が、対応する数の縫合糸保持領域３０を規定する。これらセットの縫合糸保持領域突出部４０は、カバー１０の中心から半径方向に配置される。これらセットの縫合糸保持領域突出部４０は、より多いかより少ない縫合糸保持領域が規定されるように、４より多いかまたは少ない保持領域突出部として構成され得ることが企図される。さに、縫合糸保持領域突出部４０は、とげのある縫合糸４５を保持するためのらせん状溝を形成する１つ以上の連続的壁として構成され得る。突出部４０は、好ましくは、半径方向に整列されるが、突出部４０は、縫合糸保持領域３０内に千鳥状に位置決めされ得、種々の形態のとげのある縫合糸４５を収容する。突出部４０は、それが縫合糸のパッケージ１内に保持されるとき、縫合糸４５のとげのないセクションと対応するようにカバー１０内に位置決めされ得る。とげのある縫合糸４５をこのようにして支持することにより、とげ４５ａは、それが縫合糸のパッケージ１中に挿入され、そしてその中に保持されるとき、とげのある縫合糸４５の重量の下で圧縮され、または平たくされることが防がれる。
【００３４】
縫合糸保持領域突出部４０は、外壁１５の高さに実質的に等価である高さを有する細長い指状部材である。縫合糸保持領域突出部４０は、カバー１０の底表面に第１の端部で接続される。縫合糸保持領域突出部４０は、カバー１０の底部に保持領域３０を規定する。示されるように、カバー１０は、内壁３５と外壁１５との間で半径方向の外方に延びる複数セットの４つの縫合糸保持領域突出部４０を含む。従って、縫合糸保持領域３０は、とげのある縫合糸４５の４つの旋回を規定し、そして提供する。上記で論議されたように、縫合糸保持領域３０は、とげのある縫合糸４５の４つより多いか、または４つより少ない旋回を提供し得る。
【００３５】
突出部４０は、それらの間にとげのある縫合糸４５を選択的に受容し、そしてスライド可能に放出するための開口部４０ａを規定する。開口部４０ａは、とげのある縫合糸４５を保持するようなサイズの円形の断面プロフィールを規定し得、それによって、とげ４５ａは、圧縮されない状態に維持される。好ましくは、開口部４０ａは、丸い表面を含むか、そして／または被覆されてとげのある縫合糸４５のひっかかりを防ぐ。開口部４０ａは、とげのある縫合糸４５のとげ４５ａが開口部４０ａ内に維持される間、初期または圧縮されない状態のままにあることを許容する被覆４０ｂを含み得る。被覆４０ｂは、柔らかな高度に変形可能な材料であり得るか、またはそれに代わって、半液体または粘着性材料を含み得る。いずれの事例においても、とげのある縫合糸４５のとげ４５ａは、とげ４５ａの最小圧縮のままで開口部４０ａ内に維持され得る。被覆４０ｂは、とげのある縫合糸４５と突出部４０との間の摩擦を低減し得、それによって、開口部４０ａ内のとげのある縫合糸４５のより容易な引き抜きに寄与する。被覆４０ｂは、とげのある縫合糸４５がそれから引き出されるとき、開口部４０ａ内に残り得る。あるいは、被覆４０ｂは、抗生物質、治癒薬剤などを含み得、そしてとげのある縫合糸４５が、縫合糸のパッケージ１ａから取り出されるとき、とげのある縫合糸の上に残り得、とげのある縫合糸４５の有効性を増加することが想定される。
【００３６】
縫合糸保持領域突出部４０の第２の端部は、それから延びるポスト６０を有する。ポスト６０は、ベース５中に形成される穴６５内に適合する寸法である。穴６５は、それに代わって、へこみまたは窪みを規定し得る。ポスト６０はまた、ベース５にヒートステークされるか、またはそうでなければ溶接され得、カバー１０をベース５に固定する。ベース５はさらに、穴６５の間に配置され、開口部４０ａと対応するノッチまたは溝６５ａを含む形態であり得る、カバー１０がベース５内に受容されるとき、縫合糸保持領域突出部４０から延びるポスト６０は、ベース５によって規定される穴６５を係合する。このようにして、開口部４０ａおよび溝６５ａは接続され、とげのある縫合糸４５を受容するための空洞を形成する。この配列は、縫合糸のパッケージに構造的支持を提供する。突出部４０の端部は、それに代わって、カバー１０が壁１５とともにベース５上に適合された後、リベットの様式で変形され得る。壁１５とカバー１０との間のその他および／またはさらなるタイプの接続が可能である。従って、例えば、カバー１０の周辺で突出し、そして壁１５で適切な対応物を係合するキャッチの使用が企図される。
【００３７】
縫合糸保持領域３０の第１の端部５０は、図４および５Ａに示される実施形態では、縫合糸保持領域３０によって取り囲まれるゾーンに配列される、縫合糸取り出し領域８５中に開く。この縫合糸保持領域３０の第２の端部５５は閉じられる（図４）。縫合糸保持領域３０は、ベース５によって底部に閉じられる。
【００３８】
針パークアセンブリ７５は、カバー１０の外表面またはベース５の内表面上の縫合糸取り出し領域５の中心セクション内に提供される。針パークアセンブリ７５の構造は当業者に公知である。例えば、米国特許第６，４８１，５６９号、同第５，７８８，０６２号、同第５，４７２，０８１号、同第５，１８０，０５３号、同第５，１３１，５３３号、同第５，０９９，９９４号および同第４，４２４，８９８号を参照のこと。カバー１０は、縫合糸取り出し領域８５への自由なアクセスを許容する開口部を含むことが企図される。この開口部は、カバー中の部分的開口部、またはより広い開口部であり得、その各々の利点は、以下に説明される。手術作業者は、カバー１０中の開口部を通って装備された縫合糸への接近を得ることができ、そして装備された縫合糸を、針パークアセンブリ７５から針７０を外し、そして次にとげのある縫合糸４５を縫合糸保持領域３０から引くことにより取り出し得る。針７０が、とげのある縫合糸４５によって規定される内側スペース内に位置決めされていることが注記されるべきである。この形態はさらに、パッケージからとげのある縫合糸の取り出しを支援する。
【００３９】
ここで図６Ａを参照して、先に開示された縫合糸のパッケージ１ａの別の実施形態では、縫合糸のパッケージ１ｂのベース１０５およびカバー１１０は、実質的に上記で論議されたようであり、そしてそれらの間の差異に関するとして詳細に記載されるに過ぎない。ベース１０５およびカバー１１０は、縫合糸保持領域突出部１４０を規定する。突出部１４０は、とげのある縫合糸４５を選択的に保持し、そしてスライド可能に放出するための開口部１４０ａを形成する。開口部１４０ａは、その中で、とげのある縫合糸４５のとげ４５ａが、とげのある縫合糸が開口部１４０ａ中に維持されそしてそれからスライド可能に放出されるとき、拡大されたままであることを許容する形態のスロットまたは溝１４２ａを含む。突出部１４０に形成されたポスト１６０を受容するためにベース１０５中に形成された穴１６５に加え、ベース１０５はスロット１４２ｂをさらに規定する。スロット１４２ｂは、スロット１４２ａと類似の様式で機能し、とげのある縫合糸４５のとげ４５ａが圧縮されないままであることを許容する。上で注記したように、そして本明細書中で論議されるように、とげのある縫合糸４５は、十字形の断面プロフィールを規定し、従って、スロット１４２ａ、１４２ｂはまた、とげのある縫合糸４５を選択的に維持し、そしてスライド可能に放出するために十字形の断面プロフィールを規定する。
【００４０】
ここで図５Ｂおよび６Ｂを参照して、上記に記載されたような縫合糸のパッケージ１ａおよび１ｂは、二重針のとげのある縫合糸４６を選択的に維持し、そしてスライド可能に放出するように改変され得る。上記で論議されたように、とげのある縫合糸４６は、第１および第２の針７０ａ、７０ｂ、および対応する第１および第２のとげのあるセクション４７、４９をそれぞれ含む（図３）。とげ４５ａが同じ方向に整列され、そしてそれ故単一のらせん状トラックに保持され得るとげのある縫合糸４５とは異なり、とげのある縫合糸４６は、各々が反対方向に延びるとげ４７ａ、４９ａを有し、それによってとげのある縫合糸４６を保持する単一のらせん状トラックを用いる可能性をなくする、とげのあるセクション４７、４９を含む。しかし、上記で論議されたように、とげのある縫合糸４６が遷移ゾーン４８で把持され、そして針７０ａ、７０ｂが一緒に延ばされるとき、とげのあるセクション４７、４９のとげ４７ａ、４９ａは、それぞれ整列される。
【００４１】
なお図５Ｂおよび６Ｂを参照して、縫合糸のパッケージ２ａ、２ｂは、とげのある縫合糸４６を選択的に受容し、そしてスライド可能に放出するために改変され得る。縫合糸のパッケージ２ａ、２ｂは、本明細書中で上に記載された縫合糸のパッケージ１ａ、１ｂに実質的に類似している（図５Ａおよび６Ａ）。縫合糸のパッケージ２ａ、２ｂは、それぞれ、縫合糸のパッケージ１ａ、１ｂ間の差異に関してとして説明される。縫合糸のパッケージ２ａ、２ｂ中への挿入およびそれからの除去に間に、第１および第２のとげのあるセクション４７、４９を互いに隣接して維持し、そしてそれ故とげ４７ａ、４９ａ間のもつれを防ぐために、突出部４１、１４１は、それぞれ、とげのある縫合糸４６を受容するために、二重の広い開口部４１ａ、１４１ａをそれぞれ形成し得る。このようにして、とげのある縫合糸４６は、遷移ゾーン４８（図３）で把持され得、そして第１および第２の針７０ａ、７０ｂが互いに隣接されるように折り畳まれる。遷移ゾーン４８は、第１および第２のとげのあるセクション４７、４９の間に位置決めされ、そしてとげのある縫合糸４６の長さに沿ったいずれの場所にも位置され得る。とげのある縫合糸４６は、次いで、縫合糸のパッケージ１ａ、１ｂ内のとげのある縫合糸４５について上に記載されたのと類似の様式で二重の広い開口部４１ａ、１４１ａ内に受容され得る。縫合糸のパッケージ２ａ、２ｂはさらに、第１および第２の針７０ａ、７０ｂを保持するための針パーク（図示はされていない）を含むような形態であり得る。
【００４２】
ここで図７および８Ａを参照して、本開示のパッケージの別の実施形態が、縫合糸のパッケージ２００として示される。パッケージ２００は、平坦な卵形形状のベース部材２１０を有するとして観察される。ベース部材２１０は、円形、矩形、方形、それらの組み合わせなどを含むその他の形態を有し得る。ベース部材２１０は、それを通るピン開口部２１５を規定する。ベース部材２１０は、頂部２１２および外周２１４を含む。ベース部材２１０のこの周辺２１４の頂部２１２から上方に延びて、外壁２２０がある。外壁２２０は、内表面２２１および頂部２２２を含む。該壁２２０の頂部２２２から延びて閉鎖リップ２３０がある。溝２４０は、ベース部材２１０の頂部２１２中に延びる。この溝２４０は同心であり得る。この溝２４０は、随意的な転向湾入２６０のいずれかの側ではじまり、そして終わる。この転向湾入は、ベース部材２１０の頂部中に延びる空洞である。溝２４０は、縫合糸巻き付けチャンネル２５０を形成する。
【００４３】
溝２４０は、頂部開口部２４１、底部２４２および側部２４３を含む。特に図８Ａを参照して、底部２４２および側部２４３は、スロット２４２ａ、２４３ａそれぞれを形成するような形態である。スロット２４２ａ、２４３ａは、溝２４０の長さを延びる。スロット２４２ａ、２４３ａは、とげのある縫合糸４５が、縫合糸のパッケージ２００で選択的に受容され、そしてそれから放出されることを可能にする形態である。このようにして、とげのある縫合糸４５は溝２４０内に維持され得、そのとげ４５ａは、スロット２４２ａ、２４３ａ中に延びる。とげのある縫合糸４５のとげ４５ａは、次いで、縫合糸のパッケージ２００内で圧縮されない状態で維持され得る。
【００４４】
溝に対し内側には、ベース部材２１０の頂部２１２に延びる針ウェル２５０がある。ウェル２５０は、外科用針７０を受容するための底部２７２を有する空洞である。ウェル２５０の底部２５２から上方に延びて針パーク２７５がある。針パーク２７５は、開口部２７５ｂによって分離された一対の対向する部材２７５ａを含む。外科用針７０は、開口部２７５ｂに摩擦で係合する。カバー部材２０５は、外壁２２０に取り付けられ、そして閉鎖リップ２３０上に結合することによって所定の位置に保持され、カバー２０５の外周を係合する。
【００４５】
ここで、図９Ａを参照して、縫合糸のパッケージのなお別の実施形態が開示される。縫合糸のパッケージ３００は、縫合糸のパッケージ２００と実質的に類似であり、そしてそれらの間の差異に関してとして説明されるに過ぎない。ベース部材２１０によって規定される溝２４０がとげ４５ａを保持するためのスロット２４２ａ、２４３ａを含んだ縫合糸のパッケージ２００とは異なり、縫合糸のパッケージ３００は、横方向に配置されたとげ４５ａの少なくとも１つの列を受容するためのスロット３０５ａを含む形態のカバー３０５を含む。カバー３０５は、外壁３２０の内側に形成された保持溝３２８内に受容される。カバー３０５が、溝３２８内かつ溝３４０上の位置にスライドするとき、カバー３０５中の規定されたスロット３０５ａは、横方向に配置された少なくとも１つのとげ４５ａの列を受容する。このようにして、カバー３０５は、とげ４５ａを圧縮することなく溝３４０内にとげのある縫合糸４５を保持し得る。従って、とげ４５ａは、平坦になることが防がれる。さらに、圧縮されないとげのある縫合糸４５は、縫合糸のパッケージ３００内からより容易に引き抜き可能である。上記で論議されたように、溝３４０は、任意の形態のとげのある縫合糸を選択的に保持し、そしてスライド可能に放出するサイズまたは寸法であり得、そして十字形の断面プロフィールを有するとげのある縫合糸４５に制限されない。
【００４６】
ここで、特に図１０Ａおよび１０Ｂを参照して、縫合糸のパッケージ３００はさらに、とげのある縫合糸４５を支持された位置に維持するために溝３４０を横切って延びる支持体３４２ａ、３４２ｂをそれぞれ含み得る。支持体３４２ａ、３４２ｂは、ワイヤまたはその他の材料を含み得る。縫合糸支持体３４２ａ、３４２ｂは、溝３４０を横切って水平に延び得るか（支持体３４２ｂ）、またはそれに代わって角度を形成し得る（３４２ａ）。とげのある縫合糸４５を支持された位置に維持することにより、支持体３４２ａ、３４２ｂは、とげ４５ａの圧縮または平坦化を防ぐ。支持体３４２ａ、３４２ｂは、溝３４０の周りで均一に間隔を置かれ得、とげのある縫合糸４５上に形成されるとげ４５ａと対応するか、またはそれに代わって、支持体３４２ａ、３４２ｂは、溝３４０の周りでランダムに間隔を置かれ得る。支持体３４２ａ、３４２ｂは、極度に薄くあり得る。支持体３４２ａ、３４２ｂは、縫合糸４５が縫合糸のパッケージ３００から取り出されるとき、溝３４０内から分離されるか、または壊れるような形態であり得る。このようにして、とげのある縫合糸４５は、縫合糸のパッケージ３００からより容易に取り出され得る。
【００４７】
ここで、図８Ｂおよび９Ｂに戻り、縫合糸のパッケージ２００ａ、３００ａは、縫合糸のパッケージ２００、３００とそれぞれ実質的に類似しており、従って、それらの間の差異に関してとして説明されるに過ぎない。縫合糸のパッケージ２００、３００はまた、二重針のとげのある縫合糸４６を選択的に保持、およびスライド可能に放出するように改変され得る。ベース２１０ａ、３１０ａは、折り畳まれたとげのある縫合糸４６を保持する形態の二重の広い開口部２４１、３４１を規定する。とげのある縫合糸４６は、上に記載されるのと類似の様式で、縫合糸のパッケージ２００ａ、３００ａ内に選択的に受容され、そしてスライド可能に引かれ得る。
【００４８】
上記の縫合糸のパッケージのいずれも、吸収性縫合糸を保持するような形態であり得る。吸収性縫合糸は、加水分解的分解を受け、そしてそれ故、水に実質的に不浸透性である気密にシールされたコンテナ中にパッケージされなければならない。代表的な気密パッケージは、金属箔層を有するラミネートフィルムを含む。吸収性縫合糸の「からから（ｂｏｎｅ  ｄｒｙ）の」パッケージの１つの公知の方法は、Ｇｌｉｃｋによる米国特許第３，７２８，８３９号に記載されており、この特許の全体の内容は、本明細書中に参考として援用される。この方法では、縫合糸包袋のガス状内容物は、からにするか、またはパッケージをシールする前に吸収性縫合糸に向かって不活性であるガスで置換されるかのいずれかである。その全体の内容が本明細書によって参考として援用される、本出願人がともに所有する米国特許第５，０５１，２７２号に記載されるように、貯蔵安定化混合物が、上記の縫合糸のパッケージに添加され得、「からからの」パッケージを維持することを支援する。この貯蔵安定化混合物を縫合糸のパッケージに添加することにより、縫合糸のパッケージに入り込む任意の湿気は、この混合物によって吸収され、そして吸収性縫合糸に入らず、それによってこの吸収性縫合糸の分解を防ぐ。
【００４９】
種々の改変が本明細書中に開示される実施形態になされ得ることが理解される。例えば、上記の実施形態は、外科用縫合糸のパッケージを参照して記載されているけれども、本開示は、そのような適用に制限されずに、種々の医療器具に適用され得ることが企図される。さらに、本明細書中に記載される例示の実施形態は、パッケージ内の単一の針縫合糸の組み合わせを開示しているけれども、複数の縫合糸が、単一の縫合糸のパッケージ内に収容され得ることが企図される。別の実施例では、カバーの表面に針パークを取り付けるよりはむしろ、この針パークは、ベースの表面上に位置され得る。また、カバー中の開口部を通って縫合糸−針の組み合わせを取り出すよりはむしろ、この縫合糸−針の組み合わせが、ベース中に形成される開口部を通って除去され得ることが企図され得る。従って、上記の説明は、制限的であると解釈されるべきではなく、好ましい実施形態のたんなる例示として解釈されるべきである。当業者は、請求項の範囲および思想内でその他の改変物を想定する。
【符号の説明】
【００５０】
５  ベース
１０  カバー
１５  外壁
２０  上部リム
２５  下部リム
３０  縫合糸保持領域
３５  内壁
４０  縫合糸保持領域突出部
４０ａ  開口部
４０ｂ  被覆
４５  縫合糸
４５ａ  とげ
５０  第１の端部
６０  ポスト
６５  穴
６５ａ  溝
７０  針
７５  針パーク
８５  縫合糸取り出し領域
【図１】
2009247900.tif 000003
【図２】
2009247900.tif 000004
【図３】
2009247900.tif 000005
【図４】
2009247900.tif 000006
【図５Ａ】
2009247900.tif 000007
【図５Ｂ】
2009247900.tif 000008
【図６Ａ】
2009247900.tif 000009
【図６Ｂ】
2009247900.tif 000010
【図７】
2009247900.tif 000011
【図８Ａ】
2009247900.tif 000012
【図８Ｂ】
2009247900.tif 000013
【図９Ａ】
2009247900.tif 000014
【図９Ｂ】
2009247900.tif 000015
【図１０Ａ】
2009247900.tif 000016
【図１０Ｂ】
2009247900.tif 000017